(57)【要約】      （修正有）【課題】作業能率、作業時間並びに作業の軽量化を推進する草刈り刃を提供する。【解決手段】草刈機の草刈り刃であって、高速で回転し効果的に草刈りするために刃の形状は、捻り角度で仰角３０度に形成し、強力バーナで高熱で焼き、水で急激に冷やして刃を硬く焼き入れし、刃の部分を鋭利にし、刃の重量を軽量化するために円状の穴を開けることを特徴とする。【選択図】図１
0003199456.tif 000002
【実用新案登録請求の範囲】
【請求項１】
刃の形状、捻りの角度（仰角）３０度の刃を形成する。（刃の形状、１）
【請求項２】
刃の摩耗、磨減の防止のために強力バーナーで高熱で焼き水で急激に冷し刃を硬くします。（焼き入れ）
【請求項３】
刃の部分を草を刈り取り易くするために鋭利にする。
【請求項４】
刃の重量を軽量化するために円状などの穴を開ける。
【請求項５】
刃の間に垂直に上方方向な刃を創りこれを鋭利な刃にし、つる状の草を刈り取るための新たな刃の形状（構造）作る。（刃の形状、２、３）
【考案の詳細な説明】
【考案の詳細な説明】
【技術分野】
【０００１】  本考案（発明）は、回転する草刈機の刃の形状（構造）に関するものである。
【背景技術】
【０００２】  草刈り刃の形状は、外径  ２３ｃｍ、センター穴径  ２．５ｃｍ、鋼板の厚み  １．５ｍｍで刃の波長  １，５ｃｍ  刃周１，５ｃｍの大きさを有する。
（参考写真  ４，６，７参照）【０００３】  草刈機は、肩掛け用のものでバンドで肩に掛けて作業するもので肩に対する過重負担と比較的作業労働に対する負担（力学的モーメント）が大きいことが認められる。
草刈機用の刃の形成方法は、従来の刃の形状を平面的構造（２Ｄ）の刃の形状構造になっている。
平面的構造（２Ｄ）の草刈り刃で実際に草刈り作業する作業した後の状況を確認すると草の切断断面が吹き飛ばされた状態で綺麗に切断されてないことが分かる。
つまり草が効率的に切断されてないと判断できる。
このことは、刃の形状を平面的構造（２Ｄ）だと対象の草に直接的にも間接的にも草刈りの刃が、接触してないことになる。
これに対して、この度考案（発明）した草刈り刃の形状（構造）を変えて、捻り角度を回転方向に３０度下方方向に曲げ入れており、従来の刃の形状を平面的構造（２Ｄ）から刃を立体的構造（３Ｄ）にした結果、すべての問題が解決されて、草刈りの刃が対象の刈り取る草に有効かつ直接的に接触し切断の作業効果効率を高めて、さらに良好にしている。（刃の形状、１）
（参考写真１，２参照）（図  １，２参照）【０００４】  草刈機用の刃は、対象の草の切れ味を最高に良くするために鋭利な刃状に加工し刃の回転方向を鋭角にする。
（参考写真  ３〜１２参照）【０００５】  草刈機用の刃は、対象の草の切れ味を良くするためにさらに熱入れする。
これは、刃を加工する時にガスバーナーで１７００〜２０００度の高熱で熱し、水で急激に冷まして焼き入れをすることによって刃を硬くする。【０００６】  草刈機用の刃は、センター以外にも刃の中心から４．０ｃｍから４．０ｃｍの間直径１．０ｃｍ、１．０ｃｍ、０．７ｃｍの穴を１６ｐずつ開けて刃の重量を軽量化する。
（参考写真  ４〜８参照）【０００７】  草刈機用の刃の刈り取り側の反する方向側は上方方向に３０度に捻り上げる。
（参考写真  ５，７、８〜１２参照）（図  １，２参照）【０００８】  （刃の形状、１）の上に、草刈機用の刃の刈り取り側の反する方向側は、上方方向に３０度に捻り上げた面に沿って、切り込みを入れ強力バーナーで高熱で熱して、上方方向に垂直に折り曲げて（刃の高さ１．０〜１．５ｃｍ）回転方向に別の刃（刃の形状、  ２）を形成する。
（参考写真  ７、８参照）（図  ３，４参照）【０００９】  草刈機用の刃は、高速で回転するために刈り取る地面の石などの接触を避けるために裏側の刃のセンターに半円状のセンターキャップを取り付ける。
【考案の概要】
【考案が解決しようとする課題】
【００１０】  本件考案（発明）は、草刈機用の刃を草の対象物を効率良く刈り取りするために草刈機用の刃に捻り角度を入れて、直接的に刃が草に当たり切れ味（切断）を良くし、草を巻き取る用に刈り取るために作業時間の短縮、作業効率、労働負担を軽減し、さらに改善することの課題である。
【考案の効果】
【００１１】  草刈り刃の考案（発明）によって（参考写真１〜１４、図１〜６参照）草刈作業の大きく能率の改善、作業時間並びに作業の軽量化を推進するために従来の草刈り刃では、草刈りに必要な刃の有効性とから草刈りの作業効率が悪く、非能率であったために刃の形状（構造）を従来の平面的構造（２Ｄ）から立体的構造（３Ｄ）にしたことによって、実験（参考写真１５参照）の結果から草を刈り取るのに効率的であり、作業時間を大幅に短縮し作業の軽量化を計る効果が大きいと認められたものである。
【参考写真の簡単な説明】
【００１２】（参考写真１）：この参考写真１は、（刃の形状、１）の刃の形状の真上からの基本的な                模型です。
（参考写真２）：この参考写真２は、（刃の形状、１）の刃の形状の斜め上方向からの基                本的な模型です。
（参考写真３）：この参考写真３は、（刃の形状、１）の実物の刃を大きくした裏面の形                状で刃の部分を鋭利にした状況です。
（参考写真４）：この参考写真４は、（刃の形状、１）の全体を見た実物の刃裏面の形状                です。
（参考写真５）：この参考写真５は、（刃の形状、１）の実物の刃を大きくした刃の形状                です。
（参考写真６）：この参考写真６は、（刃の形状、２）の全体を真上から見た実物の刃の                形状です。
（参考写真７）：この参考写真７は、（刃の形状、２）の実物の刃を斜め上方向から見た                刃の形状です。
（参考写真８）：この参考写真８は、写真７と同じく（刃の形状、２）の実物の刃を斜め                上方向から見た刃の形状です。
（参考写真９）：この参考写真９は、（刃の形状、３）の実物の刃を上方向から見た刃の                形状です。
（参考写真１０）：この参考写真１０は、写真９と同じく（刃の形状、３）の実物の刃を                  上方向から見た刃の形状です。
（参考写真１１）：この参考写真１１は、（刃の形状、３）の実物の刃を裏面から見た刃                  の形状です。
（参考写真１２）：この参考写真１２は、写真１１と同じく（刃の形状、３）の実物の刃                  を裏面から見た刃の形状です。
（参考写真１３）：この参考写真１３は、（刃の形状、１）を加工中のものです。
（参考写真１４）：この参考写真１４は、（刃の形状、１）を草刈機に取り付けたもので                  す。
（参考写真１５）：この参考写真１５は、草刈機に、（刃の形状、１）を取り付けて確認                  のために自己所有の畑で実験作業を実施したものです。
【考案を実施するための形態】
【実施例】
【００１３】  前記考案（発明）した草刈用の刃を草刈機に取り付け草刈りの効果を確認するために自己所有の畑で実験作業を実施した。
作業を実施した結果、従来の草刈り刃である平面的構造（２Ｄ）とこの度発明した立体的構造（３Ｄ）の草刈用の刃と比較した結果、作業後の草刈り面の切断状況と実験作業から抜群の効果があり草刈りの後の断面などから作業能率、作業時間並びに作業の軽量化を大幅に図ることが確認できた。
（参考写真１５参照）【００１７】  刃の形状を（刃の形状、１）（刃の形状、２）（刃の形状、３）の３種類とする。
刃の形状を（刃の形状、１）の用途は、通常の草を刈り取る場合に使用する。
刃の形状を（刃の形状、２）（刃の形状、３）の用途は、通常の草とつる状の双方の草を刈り取る場合に使用する。【００１８】  刃の形状を３種類としたのは、草刈り刃のコスト面と用途がそれぞれ異なることから別々に製造する。【００１９】（刃の形状、１）の上に、草刈機用の刃の刈り取り側の反する方向側は、上方方向に３０度に捻り上げた面を２Ｐおきに強力バーナーで高熱で熱して、上方方向に垂直に折り曲げて（刃の高さ１．０〜１．５ｃｍ）別の刃（刃の形状、３）を形成する。
（参考写真  ９，１０，１１，１２参照）（図  ６，７参照）
【図面の簡単な説明】
【００２０】
【図１】：この図１は、（刃の形状、１）の刃の形状の真上から見た草刈り刃の図です。
【図２】：この図２は、（刃の形状、１）の刃の形状の真横から見た草刈り刃の図です。
【図３】：この図３は、（刃の形状、２）の刃の形状の真上から見た草刈り刃の図です。
【図４】：この図４は、（刃の形状、２）の刃の形状の真横から見た草刈り刃の図です。
【図５】：この図５は、（刃の形状、３）の刃の形状の真上から見た草刈り刃の図です。
【図６】：この図６は、（刃の形状、３）の刃の形状の真横から見た草刈り刃の図です。
【図１】
0003199456.tif 000003
【図２】
0003199456.tif 000004
【図３】
0003199456.tif 000005
【図４】
0003199456.tif 000006
【図５】
0003199456.tif 000007
【図６】
0003199456.tif 000008
【手続補正書】
【提出日】平成27年4月10日(2015.4.10)
【手続補正１】
【補正対象書類名】実用新案登録請求の範囲
【補正対象項目名】全文
【補正方法】変更
【補正の内容】
【実用新案登録請求の範囲】
【請求項１】
刃の形状は、捻り角度で仰角３０度の形成することを特徴とする草刈機の刃。
【請求項２】
刃の摩耗、磨減の防止のために強力バーナで高熱で焼き水で急激に冷やし刃を硬くし焼き入れをすることを特徴とする草刈機の刃。
【請求項３】
刃の部分を草を刈り取り易くするために鋭利にすることを特徴とする草刈機の刃。
【請求項４】
刃の重量を軽量化するために円状などの穴を開けることを特徴する草刈機の刃。
【請求項５】
刃の間に垂直に上方方向な刃を創りこれを鋭利な刃にし、つる状の草を刈り取るための新たな刃の形状，構造を作ることを特徴とする請求項１記載の草刈機の草刈り刃。
【手続補正書】
【提出日】平成27年6月4日(2015.6.4)
【手続補正１】
【補正対象書類名】実用新案登録請求の範囲
【補正対象項目名】全文
【補正方法】変更
【補正の内容】
【実用新案登録請求の範囲】
【請求項１】
刃の形状は、捻り角度で仰角３０度の形成することを特徴とする草刈機の草刈り刃。
【請求項２】
刃の摩耗、磨減の防止のために強力バーナで高熱で焼き水で急激に冷やし刃を硬くし焼き入れをすることを特徴とする請求項１記載の草刈機の草刈り刃。
【請求項３】
刃の部分を草を刈り取り易くするために鋭利にすることを特徴とする請求項１記載の草刈機の草刈り刃。
【請求項４】
刃の重量を軽量化するために円状などの穴を開けることを特徴する請求項１記載の草刈機の草刈り刃。
【請求項５】
刃の間に垂直に上方方向な刃を創りこれを鋭利な刃にし、つる状の草を刈り取るための新たな刃の形状，構造を作ることを特徴とする請求項１記載の草刈機の草刈り刃。